(57)【要約】【課題】記録中の放送番組の記録終了時点の設定に関して、ユーザの希望に合わせた使い勝手の良い装置を提供する。【解決手段】放送番組のデータの記録動作中に、記録動作の終了時点の設定のための指示を受け付けたときに、電子番組ガイドのデータに基づいて、放送番組の終了時点で記録を終了する第１の設定と、記録を終了する時間に関する指定が可能な第２の設定のいずれかの選択を促す画面の画像情報を生成して、表示装置に出力する。この表示装置の画面が参照されて第１の設定が選択されたときには、放送番組の終了時点で記録を終了する。第２の設定が選択されたときには、指定された時間で記録を終了する。【選択図】図４
2005086468.tif 000002
【特許請求の範囲】
【請求項１】
放送番組を記録動作中に、当該記録動作の終了時点の設定を行なうことができる放送番組記録装置において、
前記放送番組を受信する放送番組受信手段と、
前記放送番組の電子番組ガイドのデータを保持する電子番組ガイド保持部と、
前記放送番組受信手段で受信した放送番組の記録指示を受け付けたときに、前記放送番組のデータを記録する記録手段と、
前記記録手段で、前記放送番組のデータの記録動作中に、前記記録動作の終了時点の設定のための指示を受け付けたときに、前記電子番組ガイド保持部に保持されている前記電子番組ガイドのデータに基づいて、前記放送番組の終了時点で記録を終了する第１の設定と、記録を終了する時間に関する指定が可能な第２の設定のいずれかの選択を促す画面の画像情報を生成して、表示装置に出力する表示画像生成出力手段と、
前記第１の設定が選択されたときに、前記放送番組の終了時点で記録を終了するようにし、前記第２の設定が選択されたときに、指定された時間で記録を終了するようにする記録制御手段と、
を備えることを特徴とする放送番組記録装置。
【請求項２】
請求項１に記載の放送番組記録装置において、
前記第１の設定の選択指示を受け付けたときに、少なくとも前記電子番組ガイドのデータから抽出された、前記記録を番組終了時点で終了する放送番組を識別するための情報の表示および当該放送番組の終了時刻の表示を含む確認画面を表示する
ことを特徴とする放送番組記録装置。
【請求項３】
放送番組を記録動作中に、当該記録動作の終了時点の設定を受け付けるようにする放送番組記録方法において、
前記放送番組のデータの記録動作中に、前記記録動作の終了時点の設定のための指示を受け付けたときに、電子番組ガイドのデータに基づいて、前記放送番組の終了時点で記録を終了する第１の設定と、記録を終了する時間に関する指定が可能な第２の設定のいずれかの選択を促す画面の画像情報を生成して、表示装置に出力する表示画像生成出力工程と、
前記第１の設定が選択されたときに、前記放送番組の終了時点で記録を終了する工程と、
前記選択を促す画面が参照されて、前記第２の設定が選択されたときに、指定された時間で記録を終了する工程と、
を備えることを特徴とする放送番組記録方法。
【請求項４】
請求項３に記載の放送番組記録方法において、
前記表示画像生成出力工程は、
前記第１の設定の選択指示を受け付けたときに、少なくとも前記電子番組ガイドのデータから抽出された、前記記録を番組終了時点で終了する放送番組を識別するための情報の表示および当該放送番組の終了時刻の表示を含む確認画面を表示する工程を含む
ことを特徴とする放送番組記録方法。
【発明の詳細な説明】
【技術分野】
【０００１】
この発明は、放送番組を記録動作中に、当該記録動作の終了時点の設定を受け付けるようにする放送番組記録装置および放送番組記録方法に関する。
【背景技術】
【０００２】
例えばテレビ放送番組を視聴しながら当該放送番組を録画したり、テレビ放送番組を録画しながら、ＤＶＤ（Ｄｉｇｉｔａｌ  Ｖｅｒｓａｔｉｌｅ  Ｄｉｓｃ）や磁気テープを再生して、その再生画面を視聴したりすることが行なわれる。
【０００３】
このような場合には、録画終了時点を簡単な操作により、設定することができれば非常に便利である。
【０００４】
例えば、ワンタッチ操作により、予め定められた時間後、例えば３０分後に録画を終了することができる設定ができるようにする方法が提供されている。また、特許文献１（特開平１０−６５８２３号公報）には、録画予約により録画中の放送番組の録画終了時刻の変更をする方法が記載されている。
【特許文献１】特開平１０−６５８２３号公報
【発明の開示】
【発明が解決しようとする課題】
【０００５】
ところが、３０分後などの、予め定められた時間後の時点を録画終了時点に設定する方法だけでは、放送番組の終了時点に合わせて録画を終了させるような設定をことはできない。この点、ユーザが、録画を終了させる時間を指定する方法であれば、新聞などの放送番組表を参照して、放送番組の終了時点で録画を終了させることも可能である。
【０００６】
しかしながら、番組終了時刻を細かく指定して設定することは面倒であり、できれば、ワンタッチ操作で、放送番組の終了時点まで設定することができることが望まれる。また、ユーザは、３０分後など、自分が設定した時間後に録画を終了させたいという要求もある。
【０００７】
なお、以上の説明は、テレビ放送番組の記録（上記の説明では録画なる語を用いている）の場合であるが、ラジオ放送番組の記録の場合にも、上記の状況は、同じである。
【０００８】
この発明は、以上の点にかんがみ、記録中の放送番組の記録終了時点の設定に関して、ユーザの希望に合わせた使い勝手の良い装置および方法を提供することを目的とする。
【課題を解決するための手段】
【０００９】
上記の課題を解決するために、請求項１の発明による放送番組記録装置は、
放送番組を記録動作中に、当該記録動作の終了時点の設定を行なうことができる放送番組記録装置において、
前記放送番組を受信する放送番組受信手段と、
前記放送番組の電子番組ガイドのデータを保持する電子番組ガイド保持部と、
前記放送番組受信手段で受信した放送番組の記録指示を受け付けたときに、前記放送番組のデータを記録する記録手段と、
前記記録手段で、前記放送番組のデータの記録動作中に、前記記録動作の終了時点の設定のための指示を受け付けたときに、前記電子番組ガイド保持部に保持されている前記電子番組ガイドのデータに基づいて、前記放送番組の終了時点で記録を終了する第１の設定と、記録を終了する時間に関する指定が可能な第２の設定のいずれかの選択を促す画面の画像情報を生成して、表示装置に出力する表示画像生成出力手段と、
前記第１の設定が選択されたときに、前記放送番組の終了時点で記録を終了するようにし、前記第２の設定が選択されたときに、指定された時間で記録を終了するようにする記録制御手段と、
を備えることを特徴とする。
【００１０】
この請求項１の発明による放送番組記録装置においては、記録動作の終了時点の設定のための指示を受け付けたときに、電子番組ガイド保持部に保持されている電子番組ガイドのデータに基づいて、記録中の前記放送番組の終了時点で記録を終了する第１の設定と、例えば指定した時間後で記録を終了させるなどの録画終了時間の指定が可能な第２の設定のいずれかの選択を促す画面の画像情報を生成して、表示装置に出力する。
【００１１】
上記の選択を促す画面を参照して、ユーザが第１の設定を選択すると、記録制御手段は、記録中の前記放送番組の終了時点で記録を終了するように制御する。
【００１２】
また、ユーザは、例えば記録を終了する時間に関する指定をしたい場合には、第２の設定を選択して、記録を何時間何分後に終了させるか、あるいは、記録を何時何分に終了させるかを設定することができる。記録制御手段は、このときには、ユーザにより指定された時間で記録を終了するように制御する。
【００１３】
請求項２の発明は、請求項１に記載の放送番組記録装置において、
前記第１の設定の選択指示を受け付けたときに、少なくとも前記電子番組ガイドのデータから抽出された、前記記録を番組終了時点で終了する放送番組を識別するための情報の表示および当該放送番組の終了時刻の表示を含む確認画面を表示する
ことを特徴とする。
【００１４】
この請求項２の発明によれば、第１の設定を選択する場合に、記録を番組終了時点で終了するのは、自分が希望する放送番組であるかどうかを、表示画面において確認することができる。
【発明の効果】
【００１５】
この発明によれば、記録中の放送番組の記録終了時点の設定に関して、ユーザの希望に合わせた使い勝手の良い装置および方法を提供することができる。
【発明を実施するための最良の形態】
【００１６】
以下、この発明による放送番組記録装置および方法の実施形態を、図を参照しながら説明する。
【００１７】
以下に説明する実施形態は、この発明を、放送、光ディスクなどの記録媒体、ゲームなどの複数種のメディアに亘る複数個のコンテンツを記録再生するマルチメディア記録再生装置に適用した場合である。
【００１８】
なお、以下の説明において、コンテンツとは、信号によって表現された、音楽の楽曲、動画や静止画などの画像、電子小説などのテキストデータ、ゲームソフトなど、人が視覚的あるいは聴覚的に認識できる内容情報である。
【００１９】
また、メディアとは、ハードディスク、光ディスク、メモリカード、磁気テープなどの情報の記憶媒体や、電波やケーブルなどの情報の伝送媒体を示すものであるが、ゲームメディアなど記憶媒体や伝送媒体が同じであっても、データ形式や圧縮形式が異なるものは、別のメディアとして区別されるものである。
【００２０】
＜マルチメディア記録再生システムの構成＞
図１は、この実施形態が適用されたマルチメディア記録再生装置２０を含むマルチメディア記録再生システム１０の基本的な構成を示す。
【００２１】
この例のマルチメディア記録再生装置２０は、映像やグラフィック・ユーザ・インターフェース画面を表示する表示用ディスプレイは備えておらず、その代わりに図示を省略した映像出力端子を備える。そして、マルチメディア記録再生装置２０の映像出力端子は、接続ケーブル３１を介して、例えばＣＲＴ（Ｃａｔｈｏｄｅ  Ｒａｙ  Ｔｕｂｅ；陰極線管）やＬＣＤ（Ｌｉｑｕｉｄ  Ｃｒｙｓｔａｌ  Ｄｉｓｐｌａｙ；液晶ディスプレイ）などからなるモニターディスプレイ３０に接続され、このモニターディスプレイ３０の画面３２が、映像表示用およびユーザ・インターフェース画面表示用とされる。
【００２２】
なお、図１の例では、モニターディスプレイ３０は、その左右の両端に、スピーカ３３Ｌ，３３Ｒを備え、図示を省略したマルチメディア記録再生装置２０の音声出力端子からの音声信号が、図示を省略したケーブルを介してモニターディスプレイ３０に供給されて、音響再生されるようにされている。
【００２３】
マルチメディア記録再生装置２０には、放送、インターネット、ＤＶＤやＣＤなどの光ディスク、メモリカードなどの複数種のメディアを通じて、コンテンツの情報が入力される。
【００２４】
放送メディアに関して説明すると、マルチメディア記録再生装置２０には、この例では、テレビ放送受信用アンテナ４１が接続され、当該アンテナ４１にて受信されたテレビ放送信号がマルチメディア記録再生装置２０に供給される。そして、マルチメディア記録再生装置２０では、テレビ放送信号からユーザにより選択された放送番組コンテンツが抽出されてデコードされ、その放送番組映像がモニターディスプレイ３０の画面に表示されると共に、その放送番組の音声がモニターディスプレイ３０のスピーカ３３Ｌ，３３Ｒにより音響再生される。また、マルチメディア記録再生装置２０は、放送番組コンテンツを録画する機能も備えている。
【００２５】
インターネットメディアに関して説明すると、マルチメディア記録再生装置２０には、インターネットに接続するための通信回線４２が接続されており、インターネットを通じて取得されたウェブコンテンツのデータが、マルチメディア記録再生装置２０に入力される。このウェブコンテンツのデータは、マルチメディア記録再生装置２０に保存することができるようにされていると共に、マルチメディア記録再生装置２０が持つゲーム機能などの各種機能において、利用することができるように構成されている。
【００２６】
また、光ディスクメディアに関して説明すると、マルチメディア記録再生装置２０は、ＤＶＤやＣＤなどの光ディスク４３に格納されたコンテンツのデータの読み取り機能を備え、読み取ったデータをデコードして、モニターディスプレイ３０に供給して、視聴に供するようにする。また、ＤＶＤから読み取った映像コンテンツの動画像データや音声データおよび、ＣＤから読み取った音楽コンテンツのデータを格納する機能も有する。
【００２７】
光ディスクに格納されるコンテンツとしては、例えば映画の映像や音楽および音声、クラシック音楽や歌謡曲などの楽曲、電子小説などがある。電子小説のコンテンツのデータとしては、テキストデータや朗読の音声データ、挿絵などの画像データ等がある。
【００２８】
メモリカードメディアに関しては、マルチメディア記録再生装置２０は、メモリカード４４に格納されたデータの読み取り機能および書き込み機能とを有する。メモリカード４４に記憶されるコンテンツのデータとしては、デジタルカメラで撮影された動画や静止画の撮影画像や付随する音声情報などがあり、これらもマルチメディア記録再生装置２０が備えるデータ格納部に格納可能である。
【００２９】
この例のマルチメディア記録再生装置２０は、ゲーム機の機能を備えている。操作部５０は、このため、ゲーム機用の操作コントローラとしての機能を備え、接続ケーブル５１を介して接続されている。操作部５０は、この例においては、ゲーム用の操作コントローラとして主として用いられるように構成されているので、操作ボタンの数は、比較的少なく、図１の例においては、ひし形の頂点位置に設けられた４個の操作ボタン５２，５３，５４，５５と、十字型方向指示ボタン５６と、スタートボタン５７と、セレクトボタン５８と、操作部５０の側方に設けられたＬボタン５９ＬおよびＲボタン５９Ｒとを備えている。
【００３０】
４個の操作ボタン５２，５３，５４，５５の押下部の表面には、この例には、特定の標識（マーク）が、図１の例では、丸印、三角印、四角印、×印が印刷等により表示されている。後述するように、これらの４個の操作ボタン５２，５３，５４，５５、十字型方向指示ボタン５６およびスタートボタン５７、セレクトボタン５８は、モニターディスプレイ３０の表示画面に表示されるグラフィック・ユーザ・インターフェースにおける特定の操作項目に対応するように予め定められている。
【００３１】
例えば、十字型方向指示ボタン５６は、複数個の選択項目が表示されているユーザ・インターフェース画面においては、それらの複数個の選択項目中で選択する項目を変更するための変更ボタンとされる。十字型方向指示ボタン５６は、また、数値入力が可能な画面においては、数値を順次に大きくまたは小さくする操作（例えば上方向指示操作と下方向指示操作）用として用いられる。また、４個の操作ボタン５２，５３，５４，５５のうち、特定の操作ボタン、例えば操作ボタン５３は、選択された項目で決定するときの決定ボタンとされる。
【００３２】
この例のマルチメディア記録再生装置２０においては、モニターディスプレイ３０の画面にグラフィック・ユーザ・インターフェースが表示されているときに、操作部５０のボタンがユーザにより操作されると、そのボタン操作がグラフィック・ユーザ・インターフェース画面に反映されるように構成されている。操作部５０は、マルチメディア記録再生装置２０の一部の機能として構成されている。
【００３３】
＜マルチメディア記録再生装置の構成＞
図２に、この実施形態の放送番組記録装置の例としてのマルチメディア記録再生装置２０のハードウエア構成を示す図を示す。
【００３４】
図２に示すように、この例のマルチメディア記録再生装置は、システムバス２０１に対して、制御部２０２、テレビ放送受信部２０３、マルチディスクドライブ２０４、メモリカードドライブ２０５、ネットワーク通信インターフェース２０６、データ格納部コントローラ２０７、データデコード部２０８、データ記録処理部２０９、リモコン受信部２１０、表示画像生成出力部２１１、ディスプレイインターフェース２１２、操作部インターフェース２１３、ゲーム実行処理部２１４、時計部２１５、ＥＰＧデータ保持部２１６が接続されて構成される。
【００３５】
制御部２０２は、ＣＰＵ（Ｃｅｎｔｒａｌ  Ｐｒｏｃｅｓｓｉｎｇ  Ｕｎｉｔ）と、プログラムＲＯＭ（Ｒｅａｄ  Ｏｎｌｙ  Ｍｅｍｏｒｙ）と、ワークエリアＲＡＭ（Ｒａｎｄｏｍ  Ａｃｃｅｓｓ  Ｍｅｍｏｒｙ）などを備え、プログラムＲＯＭに書き込まれたプログラムにしたがって、ワークエリアＲＡＭを用いながら、種々の制御処理を実行する。
【００３６】
テレビ放送受信部２０３は、アンテナ４１からの受信されたテレビ信号から、図示を省略したリモートコントローラを通じて入力されたユーザの選局操作に応じた放送番組を選択し、システムバス２０１に送出する。
【００３７】
マルチディスクドライブ２０４は、これに装填されるＤＶＤやＣＤなどの光ディスク４３に格納されたコンテンツのデータを、当該光ディスク４３から読み出してマルチメディア記録再生装置２０に取り込む。また、ＤＶＤが書き込み可能な場合において、制御部２０２から書き込み指示があるときには、マルチディスクドライブ２０４は、ＤＶＤに記録データを書き込む機能も備えている。
【００３８】
メモリカードドライブ２０５は、これに挿入されるメモリカード４４からデータを読み取り、また、マルチメディア記録再生装置２０からメモリカード４４にデータを書き込むためのものである。
【００３９】
ネットワーク通信インターフェース２０６は、前述したように、通信回線４２に接続されており、ウェブコンテンツなどのデータをインターネット経由で取り込んだり、ネットゲームにおいてインターネットを通じて所定の情報を送出したりする。
【００４０】
データ格納部コントローラ２０７には、例えばハードディスクドライブからなるデータ格納部２１７が接続される。データ格納部コントローラ２０７は、このデータ格納部２１７へのデータの書き込みおよびこのデータ格納部２１７からのデータの読み出しを制御する。
【００４１】
データデコード部２０８は、操作部５０を通じて受け付けられたユーザの指示に基づき、テレビ放送受信部２０３や、マルチディスクドライブ２０４、また、データ格納部２１７から読み出された放送コンテンツの符号化されたデータや、ＤＶＤやＣＤからの映画や音楽などの符号化された再生データを復号デコードし、システムバス２０１に送出する。制御部２０２は、当該復号デコードされた映像データや音楽データなどは、表示画像生成出力部２１１の出力バッファに格納させるようにする。
【００４２】
データ記録処理部２０９は、制御部２０２の制御の下に、操作部５０を通じて受け付けられたユーザの指示に基づき、テレビ放送受信部２０３からの放送コンテンツの符号化されたデータや、マルチディスクドライブ２０４からの映画や音楽などの符号化された再生データ、また、ネットワーク通信インターフェース２０６を通じて取得したウェブコンテンツを、データ格納部２１７に格納する記録フォーマットのデータに変換して、そのデータをデータ格納部コントローラ２０７を介して、データ格納部２１７に格納するようにする。この例では、記録フォーマットとしては、例えばＤＶＤ−ＶＲフォーマットが用いられる。
【００４３】
この例のマルチメディア記録再生装置２０に対するユーザの操作入力手段としては、操作部５０だけでなく、例えば赤外線を用いたリモコン送信機２１８が設けられている。リモコン受信部２１０は、このリモコン送信機２１８からのユーザの操作入力に応じたリモコン信号を受信し、制御部２０２に伝達するためのものである。制御部２０２は、リモコン受信部２１０からのリモコン信号に対応した処理を行なう。
【００４４】
表示画像生成出力部２１１は、データデコード部２０８からの復号デコードされた映像データや音楽データを、これに内蔵の出力バッファに格納する。また、グラフィック・ユーザ・インターフェースのための文字や記号などを表示するためのデータなどを、オンスクリーンディスプレイデータとして、これに内蔵するオンスクリーンバッファに格納する。オンスクリーンディスプレイデータは、モニターディスプレイ３０の画面３２に表示する再生映像の画像に重畳して表示するデータである。このとき、例えば重畳画像の下に、再生映像の画像が透けて見えるような表示とされる。
【００４５】
そして、表示画像生成出力部２１１は、出力バッファに格納したデータと、オンスクリーンバッファに格納したオンスクリーンディスプレイデータとの合成データを、ディスプレイインターフェース２１２を通じてモニターディスプレイ３０に供給するようにする。ディスプレイインターフェース２１２は、ケーブル３１を介してモニターディスプレイ３０に接続されている。
【００４６】
また、表示画像生成出力部２１１は、ゲーム実行処理部２１４でのゲーム実行処理動作がなされるときに、ゲーム画像情報を、ゲーム実行処理部２１４と協働で生成し、その生成したゲーム描画画像をディスプレイインターフェース２１２を通じてモニターディスプレイ３０に供給する機能も備える。
【００４７】
ゲーム実行処理部２１４は、マルチディスクドライブ２０４によって光ディスク４３から読み出されるゲームプログラムまたはデータ格納部２１７から読み出されるゲームプログラムを実行する。ゲーム実行処理部１００は、操作部５０により受け付けられるユーザの指示に基づいてゲームプログラムを実行するとともに、ゲームの映像および音声を表示画像生成出力部２１１へ送る。
【００４８】
操作部インターフェース２１３には、ケーブル５１を通じて操作部５０としてのゲーム用コントローラが接続されている。操作部５０は、前述したように、上、下、左、右の４方向のいずれかに関する方向指示をユーザの操作を介して受け付ける十字型方向指示ボタン５６と、例えばコンテンツの再生、再生停止、メニュー画面呼び出しなどの選択指示をユーザの操作を介して受け付けるように割り付けられた操作ボタン５２〜５５および操作ボタン５７，５８を備えている。
【００４９】
これらの操作ボタンのいずれが操作されて、どのような操作内容の操作がなされたかの操作信号が、操作部５０から操作部インターフェース２１３を通じてシステムバス２０１に供給される。制御部２０２は、操作信号に応じた制御処理を実行するようにする。
【００５０】
時計部２１５は、現在時刻の情報やカレンダー情報を提供する。また、放送番組予約録画や、録画終了時点の予約設定に対応した各種タイマー時間の計測にも用いられる。
【００５１】
ＥＰＧデータ保持部２１６は、電子番組ガイドのデータ（ＥＰＧデータ）を、これに内蔵するメモリに保持する。ＥＰＧデータは、この例においては、テレビ放送信号に、その垂直ブランキング期間の特定の水平区間に重畳されてくるものを用いる。このＥＰＧデータには、各放送番組の放送局名、放送番組名、番組開始時刻、番組終了時刻、出演者、ジャンルなどのデータが含まれる。
【００５２】
この例では、テレビ放送受信部２０３は、テレビジョン信号の垂直ブランキング期間に重畳されているＥＰＧデータを抽出して、ＥＰＧデータ保持部２１６に送る。ＥＰＧデータ保持部２１６は、テレビ放送受信部２０３から受け取ったＥＰＧデータをメモリに保持する。ＥＰＧデータ保持部２１６に保持されるＥＰＧデータは、最新のデータとなるように更新される。
【００５３】
なお、ＥＰＧデータは、この例のように、テレビ放送信号に重畳されて伝送されてくるものを用いるのではなく、例えばインターネットを通じて、ＥＰＧデータの提供サーバから取得するようにすることもできる。
【００５４】
制御部２０２は、ユーザにより設定されたモードがテレビ放送の受信モードであるときには、テレビ放送受信部２０３からのデータをデータデコード部２０８に転送して、符号化されている画像データおよび音声データをデコードし、表示画像生成出力部２１１およびディスプレイインターフェース２１２を通じてモニターディスプレイ３０に供給する。
【００５５】
また、制御部２０２は、ユーザにより設定されたモードが、ＤＶＤの再生モードであるときには、マルチディスクドライブ２０４から読み込まれたＤＶＤからの映像コンテンツデータおよび音声データを、データデコード部２０８に転送して、符号化されている画像データおよび音声データをデコードし、表示画像生成出力部２１１およびディスプレイインターフェース２１２を通じてモニターディスプレイ３０に供給する。
【００５６】
制御部２０２は、ユーザにより設定されたモードが、テレビ放送やＤＶＤコンテンツの格納モードであったときには、テレビ放送受信部２０３からの符号化データやマルチディスクドライブ２０４から読み込まれたＤＶＤからの映像コンテンツデータおよび音声データを、データ記録処理部２０９により、データ格納部２１７に格納する記録フォーマットに変換させ、当該変換後の記録フォーマットのデータをデータ格納部コントローラ２０７を通じてデータ格納部２１７に格納するようにする。
【００５７】
メモリカード４４から読み込まれたデータやネットワーク通信インターフェース２０６から取得されたウェブコンテンツのデータについても、制御部２０２は、操作部５０を通じたユーザの設定モードにしたがって、モニターディスプレイ３０の画面３２に表示したり、データ格納部２１７に格納したりする処理を制御する。
【００５８】
また、この実施形態のマルチメディア記録再生装置２０は、テレビ放送番組のタイマー予約録画ができる機能を備えている。また、テレビ放送番組を視聴中に録画操作をして、当該テレビ放送番組を録画状態にしているときに、録画終了時点を設定する機能も備えている。制御部２０２は、これらの機能を実行するためのソフトウエアを備えている。
【００５９】
なお、図２におけるデータデコード部２０８、データ記録処理部２０９および表示画像生成出力部２１１は、ソフトウエアによっても構成することができる。
【００６０】
＜録画終了時点の設定機能の説明＞
この実施形態においては、マルチメディア記録再生装置２０では、テレビ放送番組の視聴中に録画操作がなされて、当該テレビ放送番組を録画状態にしているときに、リモコン送信機２１８に設けられているワンタッチ録画終了予約キーがユーザにより操作されたときには、録画終了時点予約の設定モードとなり、モニターディスプレイ３０の画面３２に、そのためのグラフィック・ユーザ・インターフェース画面が表示され、ユーザの録画終了時点の設定入力を受け付ける。このときのグラフィック・ユーザ・インターフェース画面は、そのときにモニターディスプレイ３０の画面３２に表示されている映像上に、半透明の状態で重畳表示される。
【００６１】
また、前記テレビ放送番組の録画状態において、ユーザがＤＶＤのコンテンツを再生して、モニターディスプレイ３０で視聴しているときに、操作部５０のセレクトボタン５８を押下すると、図３に示すように、例えばサーチキー、停止キー、一時停止キー、早送りキー、巻戻しキー、再生キーなどからなるＤＶＤについての走行系の制御キー表示３０１と共に、ワンタッチ録画終了予約キー３０２が、そのときにモニターディスプレイ３０の画面３２に表示されている映像上に、半透明の状態で重畳表示される。
【００６２】
そして、操作部５０の十字型方向指示ボタン５６により、このディスプレイ画面３２上のワンタッチ録画終了予約キー３０２が選択され、その後、操作ボタン５３が押されて、そのキー選択が決定されると、リモコン送信機２１８でワンタッチ録画終了予約キーがユーザにより操作されたときと全く同様にして、マルチメディア記録再生装置２０は、録画終了時点予約の設定モードとなり、モニターディスプレイ３０の画面３２においては、前記走行系制御キー表示３０１およびワンタッチ録画終了予約キー３０２が消去されて、その代わりに、ワンタッチ録画終了予約のためのグラフィック・ユーザ・インターフェース画面が表示される。そして、マルチメディア記録再生装置２０は、ユーザの録画終了時点の設定入力を受け付ける状態になる。
【００６３】
図４に、録画終了時点予約の設定モードにおけるワンタッチ録画終了予約のためのグラフィック・ユーザ・インターフェース画面およびこのユーザ・インターフェース画面を通じた録画終了時点の予約設定操作の流れの一例を示す。
【００６４】
すなわち、先ず、図４（Ａ）に示すように、リモコン送信機２１８でワンタッチ録画終了予約キーが操作された、または、操作部５０で、画面３２上でのワンタッチ録画終了予約キー３０２の選択および決定操作がなされると、図４（Ｂ）に示すような、ワンタッチ録画終了予約のためのグラフィック・ユーザ・インターフェース画面の初期画面３１０が、そのときにモニターディスプレイ３０の画面３２に表示されている映像上に、半透明の状態で重畳表示される。
【００６５】
この実施形態の録画終了時点予約の設定モードにおいては、ＥＰＧデータから放送番組の終了時点で録画を終了する設定と、指定した時間経過後に録画を終了する設定とが選択可能である。
【００６６】
そこで、図４（Ｂ）の初期画面３１０には、「ＥＰＧより」と、「時間指定」との２つの選択項目３１１と３１２とが、選択操作対象として表示される。ユーザは、この初期画面３１０において、リモコン送信機１２８または操作部５０の方向指示ボタンで選択項目３１１，３１２のいずれか一方を選択し、決定ボタン５３を押す。
【００６７】
ここで、選択および決定された項目が「ＥＰＧより」であったときには、ディスプレイ画面３２には、図４（Ｃ）に示すように、終了時点で録画を終了する放送番組名、当該番組を提供する放送局名および録画を終了する時刻をユーザに告知する文言が表示された確認画面３２０が、半透明の状態で重畳表示される。そして、この確認画面３２０には、選択操作対象として、「決定」と、「時間指定」との２つの選択項目３２１および３２２が表示される。
【００６８】
この確認画面３２０において、ユーザにより「決定」の選択項目３２１が選択されて、決定ボタン５３が操作されると、制御部２０２は、「録画状態を放送番組の終了時点まで継続し、放送番組の終了時点で録画を終了する」ことを予約設定して、当該録画終了時点予約の設定モードを終了する。
【００６９】
図４（Ｂ）の初期画面３１０において、選択および決定された項目が「時間指定」であったとき、あるいは、図４（Ｃ）の確認画面３２０において、選択および決定された項目が「時間指定」であったときには、ディスプレイ画面３２には、図４（Ｄ）に示すように、録画終了時点を指示設定するための時間指定用画面３３０が、半透明の状態で重畳表示される。
【００７０】
この例においては、この時間指定用画面３３０では、「あと何時間何分後に、録画を終了するか」を設定することができるようにされている。そのため、この時間指定用画面３３０には、選択操作対象として、「時間変更」と、「決定」との２つの選択項目３３１と３３２とが表示されると共に、「時間」数値表示部３３３と、「分」数値表示部３３４とが表示される。
【００７１】
そして、この時間指定用画面３３０において、ユーザにより「時間変更」の選択項目３３１が選択されると、「時間」数値表示部３３３と、「分」数値表示部３３４との数値をユーザが変更可能となる。すなわち、数値表示部３３３または数値表示部３３４を選択している状態において、リモコン送信機１２８または操作部５０で、上方向指示ボタンを操作すると、選択されている数値表示部に表示されている数値を順次に大きくすることができ、また、リモコン送信機１２８または操作部５０で、下方向指示ボタンを操作すると、選択されている数値表示部に表示されている数値を順次に小さくすることができる。
【００７２】
そして、この時間指定用画面３３０において、ユーザにより「決定」の選択項目３３２が選択されて、決定ボタン５３が操作されると、制御部２０２は、そのときに「時間」数値表示部３３３と、「分」数値表示部３３４とに表示されている数値で決定される時間後に、録画を終了することを予約設定して、当該録画終了時点予約の設定モードを終了する。
【００７３】
次に、この例のマルチメディア記録再生装置における、以上説明した録画終了時点予約モードの処理動作を図５および図６のフローチャートを参照しながら説明する。このフローチャートの各ステップの処理は、制御部２０２の制御の下に実行されるものである。
【００７４】
すなわち、図５に示すように、制御部２０２は、ある放送番組の録画が実行されている場合において、リモコン送信機２１８に設けられているワンタッチ録画終了予約キーがユーザにより操作されたか否か判別し（ステップＳ１０１）、当該予約キーが操作されていないと判別したときには、操作部５０で、画面３２上でのワンタッチ録画終了予約キー３０２の選択および決定操作がなされたか否か判別する（ステップＳ１０２）。
【００７５】
ステップＳ１０２で、操作部５０で、画面３２上でのワンタッチ録画終了予約キー３０２の選択および決定操作がなされていないと判別したときには、制御部２０２は、その他の処理を行なう。
【００７６】
ステップＳ１０１で、リモコン送信機２１８に設けられているワンタッチ録画終了予約キーが操作されたと判別したとき、また、ステップＳ１０２で、操作部５０で、画面３２上でのワンタッチ録画終了予約キー３０２の選択および決定操作がなされたと判別したときには、制御部２０２は、表示画像生成出力部２１１に、前述した図４（Ｂ）のワンタッチ録画終了予約のためのグラフィック・ユーザ・インターフェース画面の初期画面３１０の画像データの生成を指示し、モニターディスプレイ３０の画面３２に、当該初期画面３１０を、そのときにモニターディスプレイ３０の画面３２に表示されている映像上に、半透明の状態で重畳表示させるようにする（ステップＳ１０３）。
【００７７】
次に、制御部２０２は、初期画面３１０において、ユーザにより「ＥＰＧより」が選択されたか否か判別し（ステップＳ１０４）、「ＥＰＧより」が選択されたと判別したときには、録画中の放送番組のＥＰＧデータを、ＥＰＧデータ保持部２１６から抽出し、表示画像生成出力部２１１に渡す。そして、制御部２０２は、表示画像生成出力部２１１に、図４（Ｃ）に示したように、終了時点で録画を終了する放送番組名、当該番組を提供する放送局名および録画を終了する時刻をユーザに告知する文言を含む表示がされた確認画面３２０を生成して、画面３２に表示されている映像上に、半透明の状態で重畳表示させるようにする（ステップＳ１０５）。
【００７８】
そして、制御部２０２は、ユーザにより確認画面３２０において「決定」が選択されたか否か判別し（ステップＳ１０６）、「決定」が選択されたと判別したときには、ステップＳ１０５の確認画面で告知した、録画中の放送番組の終了時刻で録画を終了することを予約設定し（ステップＳ１０７）、この録画終了時点の予約設定モードの処理ルーチンを終了する。
【００７９】
そして、制御部２０２は、この予約設定に基づいて、録画中の放送番組の終了時刻を監視し、当該放送番組の終了時刻になったら、録画を終了するように制御する。
【００８０】
また、ステップＳ１０６で、確認画面３２０において「決定」が選択されていないと判別したときには、制御部２０２は、ユーザにより、確認画面３２０において、「時間指定」が選択されたか否か判別する（ステップＳ１０８）。このステップＳ１０８で、「時間指定」が選択されていないと判別したときには、制御部２０２は、当該録画終了時点の予約設定モードを中止させるキャンセル操作がなされたか否か判別する（ステップＳ１０９）。
【００８１】
このステップＳ１０９で、キャンセル操作がなされたと判別したときには、制御部２０２は、録画終了時点の予約設定モードのユーザ・インターフェース画面を消去して（ステップＳ１１０）、当該録画終了時点の予約設定モードの処理ルーチンを終了する。また、ステップＳ１０９でキャンセル操作はなされていないと判別したときには、制御部２０２は、ステップＳ１０６に戻って、ユーザの「決定」の選択入力を待つ。
【００８２】
また、ステップＳ１０４で、初期画面３１０において、「ＥＰＧより」は選択されていないと判別したときには、制御部２０２は、ユーザにより、初期画面３１０において、「時間指定」が選択されたか否か判別する（図６のステップＳ１１１）。
【００８３】
ステップＳ１１１で、「時間指定」が選択されていないと判別したときには、制御部２０２は、当該録画終了時点の予約設定モードを中止させるキャンセル操作がなされたか否か判別する（ステップＳ１１２）。
【００８４】
このステップＳ１１２で、キャンセル操作がなされたと判別したときには、制御部２０２は、録画終了時点の予約設定モードのユーザ・インターフェース画面を消去して（ステップＳ１１３）、当該録画終了時点の予約設定モードの処理ルーチンを終了する。また、ステップＳ１１２でキャンセル操作はなされていないと判別したときには、制御部２０２は、ステップＳ１０４に戻って、ユーザの「ＥＰＧより」または「時間指定」のいずれかの選択入力を待つ。
【００８５】
そして、ステップＳ１１１で、初期画面３１０において、ユーザにより「時間指定」が選択されたと判別したときには、制御部２０２は、表示画像生成出力部２１１に、前述した図４（Ｄ）のワンタッチ録画終了予約のためのグラフィック・ユーザ・インターフェース画面の時間指定用画面３３０の画像データの生成を指示し、モニターディスプレイ３０の画面３２に、当該時間指定用画面３３０を、そのときにモニターディスプレイ３０の画面３２に表示されている映像上に、半透明の状態で重畳表示させるようにする（ステップＳ１１４）。
【００８６】
また、ステップＳ１０８で、確認画面において、ユーザにより「時間指定」が選択されたと判別したときにも、制御部２０２は、このステップＳ１１４に進み、モニターディスプレイ３０の画面３２に、時間指定用画面３３０を、そのときにモニターディスプレイ３０の画面３２に表示されている映像上に、半透明の状態で重畳表示させるようにする。
【００８７】
次に、制御部２０２は、時間指定用画面３３０において、ユーザにより「時間変更」が選択されたか否か判別する（ステップＳ１１５）。そして、このステップＳ１１５で、ユーザにより「時間変更」が選択されたと判別したときには、制御部２０２は、ユーザによる「時間」および「分」の数値の変更入力を受け付けて、変更後の「時間」および「分」の数値を、数値表示部３３３および３３４に表示するように表示画像生成出力部２１１を制御する（ステップＳ１１６）。
【００８８】
そして、この時間指定用画面３３０で、ユーザにより「決定」が選択されたか否か判別する（ステップＳ１１７）。ステップＳ１１５で、「時間変更」が選択されないと判別したときには、ステップＳ１１６を飛ばして、このステップＳ１１７に進む。
【００８９】
そして、ステップＳ１１７において、この時間指定用画面３３０で、ユーザにより「決定」が選択されたと判別したときには、制御部２０２は、指定された時間経過後に録画を終了することを予約設定し（ステップＳ１１８）、この録画終了時点の予約設定モードの処理ルーチンを終了する。
【００９０】
そして、制御部２０２は、この予約設定に基づいて、時間経過を監視し、指定された時間経過したときに録画を終了するように制御する。
【００９１】
以上のようにして、この実施形態によれば、簡単な操作で、録画中の放送番組の録画終了時点を予約設定することができる。
【００９２】
［変形例］
なお、上述の実施形態では、ＥＰＧデータから録画を終了する時点を設定する場合において、確認画面３２０においては、録画中の放送番組の終了時刻を、録画終了時点とするようにしたが、録画中の放送番組の次の放送番組の終了時刻を録画終了時点とすることができるようにしても良い。
【００９３】
その場合には、前記確認画面３２０においては、「次の放送番組」を選択項目として設け、当該「次の放送番組」を選択したときには、ＥＰＧデータに基づいて、確認画面３２０の内容を、当該選択された「次の放送番組」の番組名および番組終了時刻を表示するようにして、当該「次の放送番組」で録画を終了するようにするかどうかを確認させるようにすることができる。この場合に、「次の放送番組」のさらに「次の放送番組」を選択することができるようにしても勿論よい。
【００９４】
また、時間指定用画面３３０においては、録画を指定した時間後に終了させるために、その時間指定時点から録画終了時点までの時間間隔を指定させるようにしたが、録画終了時刻そのものを指定入力させるようにしても良い。
【００９５】
また、上述の実施形態では、ユーザが録画ボタンなどの録画操作をテレビ放送番組の視聴中に行なって録画が実行されている状態において、その録画終了時点の予約設定を行なえるようにしたが、予約録画により、録画が開始されて実行されているときに、当該予約録画の録画終了時点の変更を行なう場合にも、この発明は適用可能である。
【００９６】
また、この発明は、いわゆる裏番組の録画が可能なように、放送受信部（チューナ部）を複数個備え、一方の放送受信部で選択中の放送番組を録画している状態で、他方の放送受信部で選択している放送番組を視聴している場合にも適用可能であることは言うまでもない。
【００９７】
また、上述の実施形態は、テレビ放送番組の記録の場合に、この発明を適用した場合であるが、この発明は、テレビ放送番組に限らず、ラジオ放送番組やその他のコンテンツの放送番組にも適用可能である。ただし、いずれの場合にも、電子番組ガイドデータの取得が可能な放送番組である必要がある。
【００９８】
なお、上述の実施形態の装置は、ディスプレイを備えなかったが、ディスプレイを備える装置の構成であっても勿論良い。
【００９９】
また、上述の実施形態では、マルチメディア記録再生装置の場合を例にこの発明を説明したが、この発明は、放送番組の受信および録画機能を備えている装置であれば、どのような装置であっても適用可能である。
【図面の簡単な説明】
【０１００】
【図１】この発明による放送番組記録装置の実施形態を含むマルチメディアシステムの構成例を示す図である。
【図２】この発明による放送番組記録装置の実施形態の要部の構成例を示すブロック図である。
【図３】この発明による放送番組記録装置の実施形態におけるユーザ・インターフェース画面の一例を示す図である。
【図４】この発明による放送番組記録装置の実施形態における録画終了時点の予約設定用ユーザ・インターフェース画面を説明するための図である。
【図５】この発明による放送番組記録装置の実施形態における要部の処理動作を説明するためのフローチャートの一部を示す図である。
【図６】この発明による放送番組記録装置の実施形態における要部の処理動作を説明するためのフローチャートの一部を示す図である。
【符号の説明】
【０１０１】
２０…マルチメディア再生装置、３０…モニターディスプレイ、４１…アンテナ、４３…光ディスク、４４…メモリカード、５０…操作部、２０３…テレビ放送受信部、ＥＰＧデータ保持部
【図１】
2005086468.tif 000003
【図２】
2005086468.tif 000004
【図３】
2005086468.tif 000005
【図４】
2005086468.tif 000006
【図５】
2005086468.tif 000007
【図６】
2005086468.tif 000008